【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
地震信号検出で使用するためのシステムであって、
ハウジングと、
前記ハウジング内に装着された、磁場を発生させるための少なくとも１つの磁石と、
前記ハウジングに対して径方向に固定されるとともに前記ハウジングの軸方向に可動であるように構築及び配列された前記ハウジング内の可動コイルと、
を含む少なくとも１つの電気浮上式感震センサと、
前記感震センサに電気信号を供給するように構成又は設計された電気回路と、
前記感震センサと通信するデジタル信号プロセッサと、
前記プロセッサにより実行可能な命令セットと、
を備え、前記命令セットは実行時に、
前記感震センサに前記電気信号を印加することにより、前記可動コイルを重力に対して浮上させて、前記感震センサ内の前記磁場に対して中心位置にくるようにする、
ことを特徴とするシステム。
【請求項２】
前記電気回路が、前記感震センサの前記可動コイルの動きを調整するための分路抵抗器を備える、
ことを特徴とする請求項１に記載のシステム。
【請求項３】
前記電気回路が、前記可動コイルの動きを速度フィードバックによって調整するようにさらに構成又は設計された、
ことを特徴とする請求項１に記載のシステム。
【請求項４】
前記電気回路が、前記感震センサに統合フィードバックを与えるようにさらに構成又は設計された、
ことを特徴とする請求項１に記載のシステム。
【請求項５】
前記デジタル信号プロセッサが、前記感震センサによる地震データの捕捉中に、該感震センサからの電気信号出力をモニタして該感震センサの温度を求め、センサパラメータを温度依存性に関して補償するように構成又は設計された、
ことを特徴とする請求項１に記載のシステム。
【請求項６】
前記電気回路が、前記感震センサの前記可動コイルに定電流を供給するようにさらに構成又は設計された、
ことを特徴とする請求項１に記載のシステム。
【請求項７】
前記感震センサが、
（１）掘削孔の下げ孔内で使用する、
（２）地震信号検出において恒久的又は半恒久的に設置される、
（３）摂氏約１２５度を超える高温環境内で長期配置される、及び／又は、
（４）掘削孔の下げ孔内で低周波地震信号を検出する、
ように構成又は設計された、
ことを特徴とする請求項１に記載のシステム。
【請求項８】
前記浮上力が一定である、
ことを特徴とする請求項１に記載のシステム。
【請求項９】
前記可動コイルの前記測定された位置に基づいて浮上電圧をリアルタイムで調整することによって、前記電気回路が、浮上中に前記可動コイルの位置を測定するようにさらに構成又は設計された、
ことを特徴とする請求項１に記載のシステム。
【請求項１０】
前記感震センサが、前記可動コイルの位置を感知するように構成又は設計された位置センサを前記ハウジング内にさらに備える、
ことを特徴とする請求項１に記載のシステム。
【請求項１１】
前記電気回路が、浮上電流に起因するＤＣオフセット及びノイズの１又はそれ以上を補償するようにさらに構成又は設計された、
ことを特徴とする請求項１に記載のシステム。
【請求項１２】
前記電気回路が、前記感震センサの出力に正の変位フィードバック信号を与えて前記感震センサの前記固有周波数を低減させるようにさらに構成又は設計された、
ことを特徴とする請求項１に記載のシステム。
【請求項１３】
前記感震センサから出力される速度信号と変位信号との組み合わせを含む出力信号を供給するようにさらに構成又は設計されたシステムであって、選択的に、前記電気回路が、幅広い周波数範囲の速度信号を出力するようにさらに構成又は設計された、
ことを特徴とする請求項１に記載のシステム。
【請求項１４】
前記感震センサを温度変化に関して較正するようにさらに構成又は設計された、
ことを特徴とする請求項１に記載のシステム。
【請求項１５】
地震信号検出で使用するためのシステムであって、
ハウジングと、
前記ハウジング内に装着された、磁場を発生させるための少なくとも１つの磁石と、
前記ハウジングに対して径方向に固定されるとともに前記ハウジングの軸方向に可動であるように構築及び配列された前記ハウジング内の可動コイルと、
を含む少なくとも１つの感震センサと、
前記感震センサに電気信号を供給するように構成又は設計された電気回路と、
前記感震センサと通信するデジタル信号プロセッサと、
実行時に前記感震センサに電気信号を印加する、前記プロセッサにより実行可能な命令セットと、
を備え、地震信号を検出する一方で前記感震センサの前記可動コイルのＤＣ抵抗を継続的にモニタして感震センサ温度を求め、感震センサ温度の変化に基づいてセンサパラメータを補償するように構成又は設計され、
選択的に、地震信号検出中の温度変化に関してセンサパラメータを補償するようにさらに構成又は設計され、
さらに、前記デジタル信号プロセッサが、選択的に、信号データをリアルタイムで処理するようにさらに構成又は設計された、
ことを特徴とするシステム。
【請求項１６】
ハウジングと、該ハウジング内に装着された、磁場を発生させるための少なくとも１つの磁石と、前記ハウジングに対して径方向に固定されるとともに前記ハウジングの軸方向に可動であるように構築及び構成された該ハウジング内の可動コイルとを備えた少なくとも１つの電気浮上式感震センサを使用する地震信号検出法であって、
地震信号を検出するための場所に少なくとも１つの電気浮上式感震センサを配置するステップと、
前記感震センサに電気浮上信号を供給して前記可動コイルを重力に抗して浮上させることにより、前記可動コイルが前記感震センサ内の前記磁場に対して中心位置にくるようにするステップと、
前記少なくとも１つの電気浮上式感震センサを使用して地震信号を検出するステップと、
前記感知した地震信号に基づいて前記感震センサから速度信号及び変位信号を出力するステップと、
を含むことを特徴とする方法。
【請求項１７】
掘削孔の下げ孔内における地震信号検出で使用するための感震センサであって、
ハウジングと、
前記ハウジング内に装着された、磁場を発生させるための少なくとも１つの磁石と、
前記ハウジングに対して径方向に固定されるとともに前記ハウジングの軸方向に可動であるように構築及び配列された前記ハウジング内の可動コイルと、
前記可動コイルに該可動コイルを浮上させる電気信号を供給して前記可動コイルを重力に抗して浮上させることにより、前記可動コイルを前記感震センサ内の前記磁場に対して中心位置に置くように構成又は設計された電気回路と、
を備え、選択的に、前記感震センサの前記可動コイルの固有周波数（ｆo）が約０．５Ｈｚ〜約５Ｈｚであり、前記感震センサハウジングの外径（ＯＤ）及び高さ（Ｈ）が約１．５インチ未満である、
ことを特徴とする感震センサ。
【請求項１８】
地震信号検出で使用するためのシステムであって、
ハウジングと、
前記ハウジング内に装着された、磁場を発生させるための少なくとも１つの磁石と、
前記ハウジングに対して径方向に固定されるとともに前記ハウジングの軸方向に可動であるように構築及び配列された前記ハウジング内の可動コイルと、
を含む少なくとも１つの感震センサと、
前記感震センサの速度測定に基づく第１の信号と、変位測定に基づく第２の信号とをそれぞれ生成するように構成又は設計された少なくとも２つの感知要素と、
を備え、前記システムは、前記第１の信号と前記第２の信号とを組み合わせて組み合わせ出力信号を生成するように構成又は設計された、
ことを特徴とするシステム。
【請求項１９】
地震信号検出のための方法であって、
であって、
ハウジングと、
前記ハウジング内に装着された、磁場を発生させるための少なくとも１つの磁石と、
前記ハウジングに対して径方向に固定されるとともに前記ハウジングの軸方向に可動であるように構築及び配列された前記ハウジング内の可動コイルと、
を備えた少なくとも１つの感震センサを配置するステップと、
前記感震センサを使用して地震信号を感知するステップと、
前記感震センサの速度測定に基づく第１の信号と、変位測定に基づく第２の信号とを生成するステップと、
前記第１の信号と前記第２の信号とを組み合わせて組み合わせ出力信号を生成するステップと、
を含むことを特徴とする方法。